(57)【要約】      （修正有）【課題】ポータブル電子機器のＵＳＢポートを物理的に遮断及び解除してデータ流出や部外者のアクセス及び侵入を防止することができるＵＳＢポートロック装置を提供する。【解決手段】互いに連通する第１及び第２装着部１１０ａ、１１０ｂを有する装置本体１１０と、装置本体の第２装着部に結合され、ＵＳＢポートの内部に挿入されて結合されるポート結合部１２０と、ポート結合部の内部に移動可能に設置され、引込溝に結合されるロッキング部１３０と、装置本体の先端に対して出没できるように装置本体の第１装着部に往復移動可能に設置され、移動の際にロッキング部を干渉して引込溝に対する結合及び分離動作を制御するロック及び解除ユニット１４０とを含んでなり、ロック及び解除ユニットは、解除キーを用いて、装置本体から突出するように抜き出してロッキング部をロック解除する。【選択図】図３
2019121585.tif 000002
【特許請求の範囲】
【請求項１】
両側縁部に引込溝が形成された接続部を有するＵＳＢポートに結合され、前記ＵＳＢポートをロックするためのＵＳＢポートロック装置であって、
互いに連通する第１及び第２装着部を有する装置本体と、
前記装置本体の第２装着部に結合され、前記ＵＳＢポートの内部に挿入されて結合されるポート結合部と、
前記ポート結合部の内部に移動可能に設置され、前記引込溝に結合されるロック位置と前記引込溝から分離される解除位置との間で移動可能なロッキング部と、
前記装置本体の先端に対して出没できるように前記装置本体の第１装着部に往復移動可能に設置され、移動の際に前記ロッキング部を干渉して前記引込溝に対する結合及び分離動作を制御するロック及び解除ユニットとを含んでなり、
前記ロック及び解除ユニットは、前記装置本体の内部に挿入された状態で、前記ロック及び解除ユニットの先端に設けられたキーホールに結合される解除キーを用いて、前記装置本体から突出するように抜き出して前記ロッキング部をロック解除させることができることを特徴とする、ＵＳＢポートロック装置。
【請求項２】
前記ポート結合部は、
前記ＵＳＢポートの内部形状に対応する外形を有し、両端が開放された管状のポート結合ハウジングと、
前記ポート結合ハウジングの内部に結合された状態で前記装置本体の後端に固定結合される連結部材とを含んでなり、
前記連結部材と前記ポート結合ハウジングとの間に、前記ロッキング部がロック位置と解除位置との間で移動可能に設置されることを特徴とする、請求項１に記載のＵＳＢポートロック装置。
【請求項３】
前記連結部材は、
板状の連結部材ボディと、
前記連結部材ボディの一端から前記ポート結合ハウジングの内部面に接触支持されるガイド結合部と、
前記連結部材ボディの他端の一面及び他面にそれぞれ突設され、前記装置本体に結合される第１及び第２突出結合部と、
前記連結部材ボディの一面に突設され、前記ロック及び解除ユニットの移動をガイドするガイド部とを含むことを特徴とする、請求項２に記載のＵＳＢポートロック装置。
【請求項４】
前記ロッキング部は、
板構造を有する第１回動部と、前記第１回動部の両端から互いに対向するように延び、末端には前記接続部の引込溝に結合されるロッキング突起を有する一対の第２回動部とを備えるロッキング部材を含み、
前記ロッキング部材は、前記ロック及び解除ユニットの移動位置に応じて前記第１及び第２回動部の境界を回動点（Ｐ）として前記連結部材上で往復運動することにより、前記ロッキング突起が前記引込溝に対して結合または分離可能であることを特徴とする、請求項２に記載のＵＳＢポートロック装置。
【請求項５】
前記連結部材には、前記ロッキング部材のロッキング突起が前記接続部の引込溝に結合された状態で前記第１回動部が両側に広がることを遮断する支持壁が形成されたことを特徴とする、請求項４に記載のＵＳＢポートロック装置。
【請求項６】
前記ロック及び解除ユニットは、
前記装置本体の第１装着部に往復移動可能に固定結合される外側フレームと、
前記外側フレームの内部に結合され、前方に晒されるキーホールと、前記キーホールの内部面にパターン形成されたパターン溝とを有する施錠部材と、
前記施錠部材の後端から延びて前記ポート結合部に相対的に往復摺動可能に連結され、移動位置に応じて前記ロッキング部を干渉する干渉バーとを含むことを特徴とする、請求項１乃至５のいずれか一項に記載のＵＳＢポートロック装置。
【請求項７】
前記装置本体は、
前記第１及び第２装着部を有するハウジングと、
前記ハウジングの第１装着部に装着され、前記外側フレームが往復移動可能に結合され、前記装置本体の内部に進入したロック及び解除ユニットを干渉して外部への抜け出しを遮断する弾性係止片を有するガイドフレームとを含むことを特徴とする、請求項６に記載のＵＳＢポートロック装置。
【請求項８】
前記外側フレームは、
前記キーホールに挿入される解除キーの掛け金キーによって干渉して動きながら前記弾性係止片を連動させて前記ロック及び解除ユニットの係止状態を解除するように内側に突出した弾性加圧片と、前記第１装着部の内壁に形成された係止溝によって移動距離が制限されるように外側に突設された干渉突起とを有することを特徴とする、請求項７に記載のＵＳＢポートロック装置。
【請求項９】
前記ＵＳＢポートは、前記接続部の両面それぞれに同じパターンの接続端子が形成されたＵＳＢ３．１ポートであることを特徴とする、請求項１乃至５のいずれか一項に記載のＵＳＢポートロック装置。
【発明の詳細な説明】
【技術分野】
【０００１】
本発明は、ＵＳＢポートロック装置に係り、より詳細には、コンピュータ、ノートＰＣ、タブレットＰＣ、スマートフォンなどのポータブル電子機器のＵＳＢポートを物理的に遮断及び解除してデータ流出や部外者のアクセス及び侵入を防止することができるＵＳＢポートロック装置に関する。
【背景技術】
【０００２】
産業技術が発展するにつれて、パーソナルコンピュータの普及が急速に増加しているのはもとより、会社、官公庁、金融機関、政府機関などの多くの機関ではパソコン（ノート型パソコンを含む）を用いて関連業務を処理している。
【０００３】
また、機械及びプロセス設備、産業施設、軍事施設などの様々な分野においても、コンピュータを用いた統制及び制御が行われている。
【０００４】
このようにコンピュータを用いた業務を中心に産業が再編されることにより、悪意をもって相手のコンピュータに悪質なコードやウイルスなどを侵入させて被害を起こしたり、重要な情報を流出させたりすることが頻繁に発生している。
【０００５】
このような点を勘案して、各機関では、情報の流出を防ぎ且つウイルスなどの侵入から機関内のコンピュータやサーバなどを保護するために、様々な方案が適用されている。その代表的には、悪質なコード、ウイルスの侵入、ハッキングなどからコンピュータを保護するために、ソフトウェア的にセキュリティソリューションを開発して適用している。ところが、最近では、メモリ機器の発展とともに、短い時間内にコンピュータとの接続が簡単に行われるように汎用化されたＵＳＢポートの適用により、第三者が主要コンピュータに物理的に容易に接続してウイルスを侵入させたり重要な情報を盗み出したりすることが頻繁に発生している。
【０００６】
つまり、現在のほとんどの販売及び普及しているコンピュータには、汎用的に接続が可能なＵＳＢポートを少なくとも１つ備えられており、そのＵＳＢポートにＵＳＢメモリまたはＵＳＢ接続端子（マウス接続端子、キーボード接続端子、ポータブル機器接続端子など）を接続して誰でも簡単に所望のコンピュータに接続することができる。
【０００７】
したがって、部内者、部外者の両方とも、簡単にコンピュータにＵＳＢメモリまたはＵＳＢ接続端子を接続してウイルスを侵入させたり重要な情報を盗み出したりすることができ、コンピュータに接続してコンピュータを動作させることができるので、これに対する防止対策が切実に求められている。
【０００８】
このような必要性に応えて、さまざまな種類のＵＳＢポートロック装置が開発されているが、ほとんどの従来のＵＳＢポートロック装置は、ＵＳＢ３．０規格に対応する、いわゆる３．０ポートをロックするためのものである。
【０００９】
一方、最近では、ＵＳＢ３．０に比べて、データ転送速度だけでなく、電力の供給能力が強化されたＵＳＢ３．１規格のポートの適用が増加している。
【００１０】
このようなＵＳＢ３．１ポートは、そのサイズが小さく、ポートの接続端子の形状やサイズが３．０ポートとは異なる規格を持つ。特に、いわゆるＣ型ＵＳＢ３．１ポートの場合は、前後の区分がないのが特徴であり、その利便性により、様々な電子機器に急速に普及及び適用されている。
【００１１】
ところが、従来の様々な種類のＵＳＢポートロック装置は３．０ポートに対応して開発されたものなので、３．１ポートには適用することができないという問題点がある。
【先行技術文献】
【特許文献】
【００１２】
【特許文献１】韓国登録特許第１０−１３９１９７５号明細書
【発明の概要】
【発明が解決しようとする課題】
【００１３】
本発明は、かかる問題点に鑑みてなされたもので、その目的は、ＵＳＢ３．１ポートを物理的に閉鎖して遮断することができ、ＵＳＢ３．１ポートと物理的に結合して抜けやすさを防止することができるＵＳＢポートロック装置を提供することにある。
【課題を解決するための手段】
【００１４】
上記目的を達成するための本発明に係るＵＳＢポートロック装置は、両側縁部に引込溝が形成された接続部を有するＵＳＢポートに結合され、前記ＵＳＢポートをロックするためのものであって、互いに連通する第１及び第２装着部を有する装置本体と、前記装置本体の第２装着部に結合され、前記ＵＳＢポートの内部に挿入されて結合されるポート結合部と、前記ポート結合部の内部に移動可能に設置され、前記引込溝に結合されるロック位置と前記引込溝から分離される解除位置との間で移動可能なロッキング部と、前記装置本体の先端に対して出没できるように前記装置本体の第１装着部に往復移動可能に設置され、移動の際に前記ロッキング部を干渉して前記引込溝に対する結合及び分離動作を制御するロック及び解除ユニットとを含んでなり、前記ロック及び解除ユニットは、前記装置本体の内部に挿入された状態で、前記ロック及び解除ユニットの先端に設けられたキーホールに結合される解除キーを用いて、前記装置本体から突出するように抜き出して前記ロッキング部をロック解除させることができることを特徴とする。
【００１５】
これにより、接続部の両側面に引込溝が形成された構造の、いわゆるＵＳＢ３．１ポートを安全に遮断することができる。
【００１６】
ここで、前記ポート結合部は、前記ＵＳＢポートの内部形状に対応する外形を有し、両端が開放された管状のポート結合ハウジングと、前記ポート結合ハウジングの内部に結合された状態で前記装置本体の後端に固定結合される連結部材とを含んでなり、前記連結部材と前記ポート結合ハウジングとの間に、前記ロッキング部がロック位置と解除位置との間で移動可能に設置されることが好ましい。
【００１７】
これにより、内部にロッキング部が設けられたポート結合部を装置本体と結合し、ＵＳＢポートに挿入可能な構造を持つことができる。
【００１８】
また、前記連結部材は、板状の連結部材ボディと、前記連結部材ボディの一端から前記ポート結合ハウジングの内部面に接触支持されるガイド結合部と、前記連結部材ボディの他端の一面及び他面にそれぞれ突設され、前記装置本体に結合される第１及び第２突出結合部と、前記連結部材ボディの一面に突設され、前記ロック及び解除ユニットの移動をガイドするガイド部とを含むことが好ましい。
【００１９】
これにより、連結部材をポート結合ハウジングと一緒に装置本体に強固に結合できる。
【００２０】
また、前記ロッキング部は、板構造を有する第１回動部と、前記第１回動部の両端から互いに対向するように延び、末端には前記接続部の引込溝に結合されるロッキング突起を有する一対の第２回動部とを備えるロッキング部材を含み、前記ロッキング部材は、ロック及び解除ユニットの移動位置に応じて前記第１及び第２回動部の境界を回動点（Ｐ）として前記連結部材上で往復運動することにより、前記ロッキング突起が前記引込溝に対して結合または分離可能であることが好ましい。
【００２１】
これにより、ロッキング部材がポート結合部でロック及び解除ユニットから干渉されてシーソー運動して引込溝に対して結合または分離されることにより、ロック及び解除可能になる。
【００２２】
また、前記連結部材には、前記ロッキング部材のロッキング突起が前記接続部の引込溝に結合された状態で前記第２回動部が両側に広げられることを遮断する支持壁が形成されたことが好ましい。
【００２３】
これにより、ＵＳＢポートに結合されてロックされた状態で装置本体を強制的に引っ張っても、第２回動部が広げられて引込溝からロック解除されることを防止することができ、解除キーを使用する前には、強制的な力によってＵＳＢポートが開放されることを防ぐことができる。
【００２４】
また、前記ロック及び解除ユニットは、前記装置本体の第１装着部に往復移動可能に固定結合される外側フレームと、前記外側フレームの内部に結合され、前方に晒されるキーホールと、前記キーホールの内部面にパターン形成されたパターン溝とを有する施錠部材と、前記施錠部材の後端から延び、前記ポート結合部に相対的に往復摺動可能に連結され、移動位置に応じて前記ロッキング部を干渉する干渉バーとを含むことが好ましい。
【００２５】
これにより、キーホールに結合可能なパターンを有する解除キーを用いてロック及び解除ユニットを装置本体から突出するように移動させ、ロッキング部材のロック状態を解除させることができてセキュリティ性を高めることができる。
【００２６】
また、前記装置本体は、前記第１及び第２装着部を有するハウジングと、前記ハウジングの第１装着部に装着され、前記外側フレームが往復移動可能に結合され、前記装置本体の内部に進入したロック及び解除ユニットを干渉して外部への抜け出しを遮断する弾性係止片を有するガイドフレームとを含むことが好ましい。
【００２７】
これにより、装置本体の内部に完全挿入されたロック及び解除ユニットを強制的に抜き出すことができないようにすることができる。
【００２８】
また、前記外側フレームは、前記キーホールに挿入される解除キーの掛け金キーによって干渉されて動きながら前記弾性係止片を連動させて前記ロック及び解除ユニットの係止状態を解除するように内側に突出した弾性加圧片と、前記第１装着部の内壁に形成された係止溝によって移動距離が制限されるように外側に突設された干渉突起を有することが好ましい。
【００２９】
これにより、キーホールに解除キーの掛け金キーを結合してロック及び解除ユニットが装置本体に対して係止状態を解除して装置本体の外部へ抜き出すことができるので、ロッキング部材を解除させることができる。
【００３０】
また、前記ＵＳＢポートは、前記接続部の両面それぞれに同じパターンの接続端子が形成されたＵＳＢ３．１ポートであることが好ましい。
【００３１】
これにより、ＵＳＢ３．０ポートよりサイズが小さいＵＳＢ３．１ポートを安全に遮断することができる。
【発明の効果】
【００３２】
本発明のＵＳＢポートロック装置によれば、電子機器のＵＳＢポートに結合されることにより、物理的に遮断することができる。
【００３３】
特に、ＵＳＢ３．０ポートに比べてサイズが小さく、その外側ケースにひっかかる形状がないＵＳＢ３．１ポートに挿入されて結合された状態で、ロッキング部材によって接続部と結合できる。この場合、許容された解除キーをキーホールに挿入する前には、ロック状態を解除するためのロック及び解除ユニットを装置本体から抜き出すことができない。
【００３４】
よって、ＵＳＢ３．１ポートを安全にロック処理してセキュリティ性を確保することができる。
【図面の簡単な説明】
【００３５】
【図１】ＵＳＢ３．１ポートの概略縦断面図である。
【図２】ＵＳＢ３．１ポートの概略横断面図である。
【図３】本発明の実施形態に係るＵＳＢポートロック装置を示す分離斜視図である。
【図４】本発明の実施形態に係るＵＳＢポートロック装置を示す分離斜視図である。
【図５】本発明の実施形態に係るＵＳＢポートロック装置がＵＳＢポートに結合された状態を示す平面図である。
【図６】図５のＩ−Ｉ線に沿った断面図である。
【図７】図５のＩＩ−ＩＩ線に沿った断面図である。
【図８】図３のロッキング部材を示す斜視図である。
【図９】ロッキング部材がＵＳＢポートからロック解除された状態を示す概略側面図である。
【図１０】ロッキング部材がＵＳＢポートからロックされた状態を示す概略側面図である。
【図１１】本発明のＵＳＢポートロック装置がロック解除状態であるときを説明するための部分結合斜視図である。
【図１２】図１１の状態を示す側面図である。
【図１３】ＵＳＢロック装置がロック解除状態でＵＳＢポートに結合される前の状態を示す平面図である。
【図１４】ＵＳＢロック装置がロック解除状態でＵＳＢポートに結合された状態を示す斜視図である。
【図１５】ロッキング部材がＵＳＢポートに結合された状態を示す概略平面図である。
【図１６】図１４の状態を示す平面図である。
【図１７】図１１の状態からポート結合部のＵＳＢポートに挿入された状態を示す斜視図である。
【図１８】図１７の状態を示す側面図である。
【図１９】ポート結合部がＵＳＢポートに結合された状態でロックされた状態を示す斜視図である。
【図２０】図１９の状態を示す平面図である。
【図２１】図２０の状態から解除キーをキーホールに結合する前の状態を示す平面図である。
【図２２】図２１の状態から解除キーをキーホールに挿入した状態を示す平面図である。
【図２３】図２２の状態を示す断面図である。
【図２４】図２３の状態から解除キーを引っ張ってロック及び解除ユニットを解除位置に抜き出した状態を示す平面図である。
【図２５】図２４の状態を示す断面図である。
【発明を実施するための形態】
【００３６】
以下、添付図面を参照して、本発明の実施形態に係るＵＳＢポートロック装置を詳細に説明する。
【００３７】
図１乃至図２５を参照すると、本発明の実施形態に係るＵＳＢポートロック装置１００は、いわゆるＵＳＢ３．１ポート１０を選択的にロックまたはロック解除することができるものである。
【００３８】
ここで、図１及び図２に示すように、ＵＳＢ３．１ポート１０は、３．０ポートに比べてサイズが小さく、ポート外側フレーム１１内の中央部分に接続部１２が位置する。特に、いわゆるＣ型ＵＳＢ３．１ポート１０（以下、ＵＳＢポート１０という）の場合は、ＵＳＢコネクタを前後に関係なく結合することができる構造を持つことに特徴がある。ＵＳＢポート１０は、薄板構造を持つ接続部ボディ１２と、接続部ボディ１２の両面それぞれにパターン形成される多数の端子１３とを有する。このとき、前記接続部ボディ１２の両側面それぞれには引込溝１２ａがそれぞれ形成される。このような構造を持つＵＳＢポート１０は、国際規格で標準化されたサイズと形状を有する。
【００３９】
本発明の実施形態に係るＵＳＢポートロック装置１００は、装置本体１１０と、前記装置本体１１０に接続され、ＵＳＢポート１０に嵌め込まれて結合されるポート結合部１２０と、ポート結合部１２０の内部に設置され、前記ＵＳＢポート１０の接続部１２に対してロッキング結合及び分離可能なロッキング部１３０と、前記装置本体１１０に往復移動可能に設置され、前記ロッキング部１３０を制御するロック及び解除ユニット１４０と、前記ロック及び解除ユニット１４０を前記装置本体１１０の外部に抜き出してロック解除させる解除キー１５０（図２２を参照）とを備える。
【００４０】
前記装置本体１１０は、ハウジング１１１と、ハウジング１１１の内部に設置されるガイドフレーム１１３とを備える。ハウジング１１１は、互いに対向して結合される第１ハウジング１１１ａ及び第２ハウジング１１１ｂを有する。第１及び第２ハウジング１１１ａ、１１１ｂのそれぞれには、互いに掛合されるフック１１２ａとフック掛止部１１２ｂとが互いに対応する位置に形成される。ハウジング１１１は合成樹脂製のモールド物で製作できる。
【００４１】
ガイドフレーム１１３は、ハウジング１１１の内部に挿入されて固定設置される。ガイドフレーム１１３は、両端が開放された四角枠状を有する。このようなガイドフレーム１１３は金属材質で形成される。前記ガイドフレーム１１３には、ハウジング１１１の内壁に形成された固定溝１１１ｃに結合されるように外側に突出した固定キー１１３ａが一体に形成される。また、ガイドフレーム１１３には、ロック及び解除ユニット１４０が解除方向（図３のようにハウジング１１１の前方に突出するように移動する方向）に移動することを遮断する弾性係止片１１３ｄが内方に突出するように形成される。
【００４２】
また、ガイドフレーム１１３には、ロック及び解除ユニット１４０側へ突出する干渉突出部１１３ｅが形成される。この干渉突出部１１３ｅは、ロック及び解除ユニット１４０の外側フレーム１４１に形成された干渉ホール１４１ａに対応する位置に突設される。このような干渉突出部１１３ｅによってロック位置（図７のようにハウジング１１１の内部に完全に進入した状態）でロック及び解除ユニット１４０が締まり嵌めされた状態を維持するように摩擦力を提供することにより、ロック及び解除ユニット１４０が自由に動くことを防止する。
【００４３】
ここで、ガイドフレーム１１３は、ハウジング１１１の前方側に設けられた第１装着部１１０ａに結合される。第１装着部１１０ａの後方に設けられた第２装着部１１０ｂには、前記ポート結合部１２０が結合される。また、前記第１装着部１１０ａの内面にはガイド溝１１４ａが凹設される。ガイド溝１１４ａには、ロック及び解除ユニット１４０の干渉突起１４１ｃが収容される。このような干渉突起１４１ｃがガイド溝１１４ａの距離分だけ移動可能に制限されることにより、ロック及び解除ユニット１４０の移動距離、すなわち装置本体１１０の前方に出没する距離が決定され、ロック及び解除ユニット１４０が装置本体１１０から分離されることが防止される。
【００４４】
第２装着部１１０ｂには、ポート結合部１２０を固定させるための第１及び第２結合溝１１５ａ、１１５ｂ及びフックホール１１５ｃがそれぞれ形成される。第１結合溝１１５ａには、連結部材１２３の一面に形成された第１突出結合部１２３ｃが結合される。第２結合溝１１５ｂには、連結部材１２３の他面に突設された第２突出結合部１２３ｄが結合される。フックホール１１５ｃには、連結部材１２３に形成されたフック１２３ｈが結合される。フックホール１１５ｃは、第１ハウジング１１１ａと第２ハウジング１１１ｂそれぞれに複数形成される。
【００４５】
前記ポート結合部１２０は、ＵＳＢポート１０の内部に挿入されて結合されるポート結合ハウジング１２１と、ポート結合ハウジング１２１の内部に設置されて前記ロッキング部材１３１を支持し、前記ハウジング１１１に結合される連結部材１２３とを備える。
【００４６】
前記ポート結合ハウジング１２１は、両端が開放された構造を有し、外形はＵＳＢポート１０のポート外側フレーム１１に対応する形状に形成される。よって、ポート結合ハウジング１２１は、一端からＵＳＢポート１０の内部に挿入されて結合される。ポート結合ハウジング１２１の他端には、前記連結部材１２３との結合のための一対の結合部１２１ａが互いに対向するように形成される。すなわち、一対の結合部１２１ａそれぞれは、ポート結合ハウジング１２１の他端の上部及び下部側の縁部に延設され、それぞれには結合ホールｈ１が形成される。前記結合ホールｈ１は、連結部材１２３に形成されたフック１２３ｈと結合される。
【００４７】
前記連結部材１２３は、連結部材ボディ１２３ａと、前記連結部材ボディ１２３ａの一端からポート結合ハウジング１２１の内部面に接触支持されるガイド結合部１２３ｂと、連結部材ボディ１２３ａの他端の一面及び他面にそれぞれ突設された第１及び第２突出結合部１２３ｃ、１２３ｄと、連結部材ボディ１２３ａに突設されたガイド部１２３ｅ及びロッキング部材支持突起１２３ｆを有する。連結部材ボディ１２３ａは、板構造を有し、一端部が前記ポート結合ハウジング１２１の内部に挿入されて結合され、他端部はポート結合ハウジング１２１と結合された状態でハウジング１１１の第２装着部１１０ｂに結合される。
【００４８】
ガイド結合部１２３ｂは、連結部材ボディ１２３ａの一端部から突出するように一体に形成される。ガイド結合部１２３ｂの外形は、ポート結合ハウジング１２１の内面に対応する形状、すなわち、略楕円形の管形状を有する。したがって、ガイド結合部１２３ｂがポート結合ハウジング１２１の内部に密着して結合されることにより、連結部材１２３とポート結合ハウジング１２１とを互いに動かずに安定した姿勢で結合できる。
【００４９】
前記第１突出結合部１２３ｃは、連結部材ボディ１２３ａの他端側の一面に突設され、前記第２装着部１１０ｂに形成された第１結合溝１１５ａに結合される。第２突出結合部１２３ｄは連結部材ボディ１２３ａの他面に突設される。この第２突出結合部１２３ｄは第２装着部１１０ｂの第２結合溝１１５ｂに嵌合される。
【００５０】
ガイド部１２３ｅは、連結部材ボディ１２３ａの一面に突設され、ロック及び解除ユニット１４０の往復移動をガイドする。ガイド部１２３ｅは、連結部材ボディ１２３ａの両サイドにそれぞれ対称となるように形成されることが好ましい。
【００５１】
ロッキング部材支持突起１２３ｆは、連結部材ボディ１２３ａの一面に突設され、後述するフック１２３ｈを有する突出顎１２３ｇと離隔した位置に設けられる。前記ロッキング部材１３１は、ロッキング部材支持突起１２３ｆと突出顎１２３ｇとの間に介在され、前後方向への移動が制限され、上下方向には移動可能にガイドされる。
【００５２】
また、連結部材ボディ１２３ａには、一面及び他面それぞれにフック１２３ｈが形成される。フック１２３ｈは、ポート結合ハウジング１２１の結合ホールｈ１と第２装着部１１０ｂのフックホール１１５ｃに同時に結合される。すなわち、フック１２３ｈは、結合部１２１ａに形成された結合ホールｈ１を通過してハウジング１１１のフックホール１１５ｃに結合される。これにより、ポート結合部１２０と装置本体１１０とをさらに強固に結合することができる。
【００５３】
前記構成を有するポート結合部１２０の組立の際に、前記ロック及び解除ユニット１４０の干渉バー１４５は、図１１に示すように、前記ガイド部１２３ｅに装着された状態でポート結合ハウジング１２１及び連結部材１２３と一緒に組み立てられる。よって、ポート結合部１２０に対してロック及び解除ユニット１４０が相対的に往復移動可能に連結できる。
【００５４】
前記ロッキング部１３０はロッキング部材１３１とロッキング部材支持部材１３３とを備える。ロッキング部材１３１は、ポート結合部１２０に設置され、ＵＳＢポート１０の接続部１２に形成された引込溝１２ａに係止されてロック結合及び分離される。図８乃至図１０を参照すると、ロッキング部材１３１は回動点Ｐを基準にして第１回動部１３１ａと第２回動部１３１ｂが区分される。第１回動部１３１ａは、板構造を有し、その両端から、一対の第２回動部１３１ｂが互いに対向するように延びる。第１回動部１３１ａと第２回動部１３１ｂは、回動点Ｐを基準に互いに鈍角をなすように延びる。よって、回動点Ｐを中心に第１回動部１３１ａと第２回動部１３１ｂそれぞれは、いわゆるシーソーのような動作を行う。このとき、第２回動部１３１ｂは、回動点Ｐから相対的に長く形成されることにより、回動姿勢に応じて、ＵＳＢポート１０の接続部１２の引込溝１２ａに対して結合（図１０参照）または分離（図９参照）される。このため、第２回動部１３１ｂの末端には、前記引込溝１２ａに対応するロッキング突起１３１ｃが折り曲げられて形成される。前記構成を有するロッキング部材１３１は、第１回動部１３１ａ及び第２回動部１３１ｂがロック及び解除ユニット１４０の干渉バー１４５に干渉されて回動姿勢が変更され、回動姿勢が変更されることにより、図９及び図１０に示すように、ロッキング突起１３１ｃが引込溝１２ａに対して進入または分離できる。すなわち、図９に示すように、第１回動部１３１ａが後述の干渉バー１４５の干渉突起１４５ａによって干渉されて押されると、反対側の第２回動部１３１ｂが回動点Ｐを基準として反対方向に回動（図面上、持ち上げられる）される。すると、ロッキング突起１３１ｃが引込溝１２ａから分離されて解除状態となる。この状態ではポート結合部１２０をＵＳＢポートから分離することができる。
【００５５】
逆に、図１０に示すように、第２回動部１３１ｂが前進した干渉バー１４５の干渉突起１４５ａに干渉されて押されると、ロッキング突起１３１ｃが引込溝１２ａに進入してロッキング状態となる。よって、この状態ではポート結合部１２０をＵＳＢポート１０から分離することができない。このようなロック状態では、ポート結合部１２０はＵＳＢポート１０から分離されず、嵌め込まれた状態に維持できる。
【００５６】
ここで、前記ロッキング部材１３１が引込溝１２ａに係止された状態で外力によって広げられることを防止することができるように、図１５に示すように、前記連結部材１２３のガイド結合部１２３ｂには、ロッキング部材１３１のロッキング突起１３１ｃの外側に対応するように支持壁１２３ｉが突設されることが好ましい。これにより、ロッキング状態で装置本体１１０を強制的に引っ張っても、一対の第２回動部１３１ｂの末端部が互いに広がることを防止することにより、引込溝１２ａからロッキング突起１３１ｃが抜けないようにすることができる。よって、ＵＳＢポート１０を安全に遮断することができる。
【００５７】
また、本発明では、ロッキング部材１３１が回動点Ｐを基準として第１及び第２回動部１３１ａ、１３１ｂが互いに平角の板状に延びた構成を説明したが、これは例示的なものに過ぎない。すなわち、ロッキング部材１３１は回動点Ｐでラウンドされた形状を有することもでき、第１及び第２回動部１３１ａ、１３１ｂも所定の曲率でラウンドされた形状を有することもできる。
【００５８】
ロッキング部材支持部材１３３は、ロッキング部材１３１を覆うように連結部材１２３の一面に結合される。すなわち、ロッキング部材支持部材１３３は、板構造を有し、連結部材１２３と対向する面に支持顎１３３ａが突設される。支持顎１３３ａは、連結部材１２３の面に密着して支持される。ロッキング部材支持部材１３３には結合ホール１３３ｂが形成され、この結合ホール１３３ｂはロッキング部材支持突起１２３ｆに形成された結合ピンに結合できる。このようなロッキング部材支持部材１３３は、ロッキング部材１３１が安定的に姿勢維持されて回動されるようにし、ロッキング部材１３１のロッキング突起１３１ｃの移動距離を制限する。このため、ロッキング部材支持部材１３３は、図６に示すように、ＵＳＢポート１０の接続部１２を挟んで連結部材１２３と対向するように配置される。よって、ポート結合部１２０をＵＳＢポート１０に挿入すると、接続部１２が連結部材１２３とロッキング部材支持部材１３３との間に位置する。
【００５９】
前記ロック及び解除ユニット１４０は、ロッキング部材１３１が引込溝１２ａに係止されるロック位置（図１０参照）と、引込溝１２ａから分離される解除位置（図９参照）との間で姿勢変更できるように制御するためのものである。このようなロック及び解除ユニット１４０は、外側フレーム１４１と、キーホールＨを有する施錠部材１４３と、施錠部材１４３の後方に連結される干渉バー１４５とを備える。
【００６０】
前記外側フレーム１４１は、ガイドフレーム１１３に対応する枠形状を有する。このような外側フレーム１４１は、上壁、下壁、及び対向する一対の側壁が略四角枠形状に連結された構造を持つ。上壁には複数の干渉ホール１４１ａが形成され、この干渉ホール１４１ａにガイドフレーム１１３の干渉突出部１１３ｅが係止されて摩擦力が発生する。また、上壁には内側方向へ複数の係止片１４１ｂが突設され、この係止片１４１ｂは施錠部材１４３の外側面に形成された係止溝１４３ａに係止される。よって、外側フレーム１４１の内部に施錠部材１４３が挿入された状態で分離されず、結合された状態が維持できる。また、外側フレーム１４１の下壁には、外側に弾性加圧片１４１ｄが施錠部材１４３側へ突出するように形成される。この弾性加圧片１４１ｄは、ガイドフレーム１１３の弾性係止片１１３ｄに対応する位置に形成される（図７参照）。この弾性加圧片１４１ｄは、キーホールＨに挿入される掛け金キー１５１によって変形し（図２３参照）、弾性係止片１１３ｄをガイドフレーム１１３の外側に押し出す。これにより、施錠部材１４３の係止顎１４３ｄを塞いでいる弾性係止片１１３ｄを係止顎１４３ｄから取り外すことができる。このため、キーホールＨに解除キー１５０の掛け金キー１５１を差し込んだ状態（図２３参照）では、弾性係止片１１３ｄによる施錠部材１４３の係止状態が解除される。よって、図２４及び図２５に示すように、ロック及び解除ユニット１４０を装置本体１１０の前方に突出するように抜き出すことができる。
【００６１】
前記施錠部材１４３は、外側フレーム１４１の内部に収容設置される構造物であって、合成樹脂製のモールド物であることが好ましい。このような施錠部材１４３の一面（図面における上面）には係止溝１４３ａが形成され、この係止溝１４３ａに外側フレーム１４１の係止片１４１ｂが結合される。施錠部材１４３の他面（図面における下面）には、前面から開放されたキーホールＨが凹設される。すなわち、キーホールＨは、施錠部材１４３の前面及び下面から所定の深さで凹設される。そして、キーホールＨの内部面には、掛け金キー１５１のキーパターン１５１ａ（図２１参照）に対応するパターン溝１４３ｃが形成される。また、施錠部材１４３の後端側には外方へ拡張された係止顎１４３ｄが形成され、ガイドフレーム１１３の弾性係止片１１３ｄによって係止され得る（図７参照）。このような構成の施錠部材１４３は、外側フレーム１４１と結合された状態にてガイドフレーム１１３内で所定の距離往復移動可能に結合されることにより、装置本体１１０の前方に突出（図３及び図２４参照）し、装置本体１１０の内部に挿入（図７及び図１９を参照）されるように移動することができる。
【００６２】
前記干渉バー１４５は、施錠部材１４３の後端から所定の長さだけ延びて一体に形成でき、一対が並んで配置される。この干渉バー１４５の末端には干渉突起１４５ａが形成されている。干渉突起１４５ａと施錠部材１４３との間には、連結部材１２３のガイド部１２３ｅにガイドされるガイド壁１４５ｂが形成される。ロック及び解除ユニット１４０が装置本体１１０の前方に突出する位置（解除位置）または挿入される位置（ロック位置）に応じて干渉バー１４５がガイド部１２３ｅに沿って前進（ロック方向）または後進（解除方向）する。よって、ロック位置では、干渉突起１４５ａが第２回動部１３１ｂを干渉して回動させることにより、図１０に示すように、ロッキング突起１３１ｃが引込溝１２ａに結合される。解除位置では、干渉突起１４５ａがロッキング部材１３１の第１回動部１３１ａを干渉して、図９に示すように、ロッキング突起１３１ｃが引込溝１２ａから分離されるようにする。したがって、このような解除状態では、ポート結合部１２０をＵＳＢポート１０に挿入するか、或いは挿入された状態から抜き出すことができる。
【００６３】
前記解除キー１５０は、図２１に示すように、前記キーホールＨの内部にパターン形成されたパターン溝１４３ｃ（図４参照）に対応する一対の掛け金キー１５１を有する。一対の掛け金キー１５１は、操作ノブ１５２の操作によって間隔が調節される。よって、掛け金キー１５１の間隔を狭めた状態で、図２３及び図２４に示すように掛け金キー１５１をキーホールＨに差し込んだ状態で操作ノブ１５２を操作して掛け金キー１５１を広げる。すると、掛け金キー１５１のキーパターン１５１ａがキーホールＨ内のパターン溝１４３ｃに結合された状態となる。ここで、キーパターン１５１ａとパターン溝１４３ｃは様々なパターンに加工されることにより、セキュリティ性を高めることができる。また、掛け金キー１５１がキーホールＨに進入しながら、図２３に示すように外側フレーム１４１の弾性加圧片１４１ｄを干渉して外側に押し出す。すると、外側に押された弾性加圧片１４１ｄはガイドフレーム１１３の弾性係止片１１３ｄを外側に押し出し、係止顎１４３ｄは弾性係止片１１３ｄに係止された状態から解除される。この状態で解除キー１５０を引っ張ると、図２４に示すように、ロック及び解除ユニット１４０は解除キー１５０に導かれて装置本体１１０の前方に所定の長さだけ突出して解除位置へ移動する。上述のような解除キー１５０の構成とキーホールＨの構成、すなわち、掛け金キー１５１とキーホールＨ内のパターン溝１４３ｃの構造などは様々な例が可能であり、公知の技術から、解除キー１５０の具体的な構成及び動作は容易に理解することができるので、それ以上の詳細な説明は省略する。
【００６４】
前記構成を有する本発明の実施形態に係るＵＳＢポートロック装置１００によれば、コンピュータなどの電子機器を使用しないＵＳＢポート１０を他人が接続して使用しないように閉鎖させ、ＵＳＢポート１０を介して第３者が接続することを防止することができる。これについて詳しく説明すると、ＵＳＢポート１０を遮断するためには、まず、図３、図１１、図１２及び図１３に示すように、ロック及び解除ユニット１４０を装置本体１１０の前方に突出するように抜き出して解除状態となるようにする。この状態では、図９に示すように、ロッキング部材１３１の第１回動部１３１ａが干渉バー１４５の干渉突起１４５ａに押されて解除位置に位置する。
【００６５】
この状態で、閉鎖しようとしているＵＳＢポート１０にポート結合部１２０を図１４、図１６及び図１７の如く結合する。
【００６６】
次に、外部に突出したロック及び解除ユニット１４０を、図６、図７、図１９、図２０、図２２及び図２１に示すように、装置本体１１０の内部に押し込む。
【００６７】
すると、先立って説明したように、干渉バー１４５の干渉突起１４５ａが図１０の如くロッキング部材１３１の第２回動部１３１ｂを干渉してロック位置へ移動させる。これにより、ロッキング部材１３１が接続部１２の引込溝１２ａに嵌め込まれてロック状態になる。よって、この状態では、ポート結合部１２０がＵＳＢポート１０から強制的に分離されなくなり、ＵＳＢポート１０を安全に遮断することができる。
【００６８】
次いで、ＵＳＢポート１０から本発明のＵＳＢポートロック装置１００を分離しようとする場合には、図２１の状態で解除キー１５０の掛け金キー１５１を図２２及び図２３の如くキーホールＨに差し込む。すると、キーホールＨに差し込まれた掛け金キー１５１によって押された弾性加圧片１４１ｄによって弾性係止片１１３ｄが変形して係止顎１４３ｄから分離される。よって、この状態で解除キー１５０を引っ張ると、図２４及び図２５に示すように、解除キー１５０によってロック及び解除ユニット１４０が装置本体１１０から突出するように抜け出す。すると、図９に示すように、干渉バー１４５の干渉突起１４５ａがロッキング部材１３１の第１回動部１３１ａを干渉して回動するようにする。よって、ロッキング部材１３１のロッキング突起１３１ｃは、接続部１２の引込溝１２ａから分離されてロック解除される。この状態で装置本体１１０を引っ張ると、ポート結合部１２０がＵＳＢポート１０から安全に分離できる。
【００６９】
以上、本発明を、本発明の原理を例示するための好適な実施形態に関連して図示及び説明したが、本発明は、そのように図示及び説明された通りの構成及び作用に限定されるものではない。添付された特許請求の範囲の思想及び範囲を逸脱することなく、本発明に様々な変更及び修正を加え得ることを当業者であれば理解することができるだろう。
【符号の説明】
【００７０】
１０      ＵＳＢポート
１２      接続部
１２ａ    引込溝
１００    ＵＳＢポートロック装置
１１０    装置本体
１１１    ハウジング
１１３    ガイドフレーム
１２０    ポート結合部
１２１    ポート結合ハウジング
１２３    連結部材
１３０    ロッキング部
１３１    ロッキング部材
１３３    ロッキング部材支持部材
１４０    ロック及び解除ユニット
１４１    外側フレーム
１４３    施錠部材
１４５    干渉バー
１５０    解除キー
１５１    掛け金キー
【図１】
2019121585.tif 000003
【図２】
2019121585.tif 000004
【図３】
2019121585.tif 000005
【図４】
2019121585.tif 000006
【図５】
2019121585.tif 000007
【図６】
2019121585.tif 000008
【図７】
2019121585.tif 000009
【図８】
2019121585.tif 000010
【図９】
2019121585.tif 000011
【図１０】
2019121585.tif 000012
【図１１】
2019121585.tif 000013
【図１２】
2019121585.tif 000014
【図１３】
2019121585.tif 000015
【図１４】
2019121585.tif 000016
【図１５】
2019121585.tif 000017
【図１６】
2019121585.tif 000018
【図１７】
2019121585.tif 000019
【図１８】
2019121585.tif 000020
【図１９】
2019121585.tif 000021
【図２０】
2019121585.tif 000022
【図２１】
2019121585.tif 000023
【図２２】
2019121585.tif 000024
【図２３】
2019121585.tif 000025
【図２４】
2019121585.tif 000026
【図２５】
2019121585.tif 000027